(57)【要約】【課題】  飛距離のコントロールの練習を可能とする。【解決手段】  グランドゴルフ練習具１の内、２は木製で前後方向に延びた略角柱状の基台、３は基台２の上面前端部に装着された金属製の基部支柱であり、基台２の上面にねじ留めされた方形板状の基部４の中央から上方へ延設された筒状部５が一体化されてなる。６は筒状部５の上端部にＬ字接続用ジョイント金具７を介して装着された筒状の支持部材であり、筒状部５からバックスイング方向に沿った後方へ基台２の後端過ぎまで延設されている。支持部材６には、筒状部５からの距離が１０ｃｍから４０ｃｍまで、５ｃｍ間隔で支持部材６の軸に直交する水平方向に左右対向して配設した一対の取り付け孔９ａと９ｂ、１０ａと１０ｂ、・・、１５ａと１５ｂが穿設されている。これらの取り付け孔には、棒状の制限部材３４を位置を変えて着脱自在に取り付け可能である。【選択図】      図７
2020171616.tif 000002
【特許請求の範囲】
【請求項１】
地面または床の上に載置されるか、着脱自在に固定される基台と、
基台に支持されるとともに、基台の脇でグランドゴルフの打撃練習をする際のバックスイング方向に沿って延設された支持部材と、
支持部材の延設方向に位置変更可能に装備されて、バックスイング中のゴルフクラブに当接し、バックスイングの振りの範囲を制限する制限部材と、
を備えたことを特徴とするグランドゴルフ練習具。
【請求項２】
支持部材は、基台に立設した基部支柱に装着したこと、
を特徴とする請求項１記載のグランドゴルフ練習具。
【請求項３】
支持部材は、略水平に後方へ延設されていること、
を特徴とする請求項１または２記載のグランドゴルフ練習具。
【請求項４】
支持部材は、後端に掛けて上方へ湾曲するように延設されていること、
を特徴とする請求項１または２記載のグランドゴルフ練習具。
【請求項５】
制限部材は、支持部材の延設方向の複数個所に位置を変えて着脱自在に装着可能に形成されていること、
を特徴とする請求項１乃至４の内のいずれか一項記載のグランドゴルフ練習具。
【請求項６】
基台の底部または底部近くに着脱自在な姿勢安定部材を備えたこと、
を特徴とする請求項１乃至５の内のいずれか一項記載のグランドゴルフ練習具。
【請求項７】
姿勢安定部材は内部に制限手段を収納可能な筒状に形成されており、
基台に、不使用時の筒状の姿勢安定部材を着脱自在に固定する固定部材を設けたこと、
を特徴とする請求項６記載のグランドゴルフ練習具。
【請求項８】
姿勢安定部材は、基台から側方へ延設した状態で装備可能であり、延設された先端によりグランドゴルフボールの設置位置を指示するようにしたこと、
を特徴とする請求項６記載のグランドゴルフ練習具。
【請求項９】
基台に、ペグを上方から下方へ挿脱自在に貫通するペグ孔を形成したこと、
を特徴とする請求項１乃至８の内のいずれか一項記載のグランドゴルフ練習具。
【請求項１０】
支持部材に、バックスイングの振りの大きさが判る目印または目盛を付設したこと、
を特徴とする請求項１乃至９の内のいずれか一項記載のグランドゴルフ練習具。
【請求項１１】
基台に、ボールの飛距離を計るメジャーを備えたこと、
を特徴とする請求項１乃至１０の内のいずれか一項記載のグランドゴルフ練習具。
【発明の詳細な説明】
【技術分野】
【０００１】
本発明はグランドゴルフ練習具に係り、とくに飛距離のコントロールを練習可能なグランドゴルフ練習具に関する。
【背景技術】
【０００２】
高齢者が近くのグランド、空き地等で手軽にスポーツができるグランドゴルフと呼ばれる競技がある。このグランドゴルフは、直径６ｃｍほどの大きなボールをクラブで打撃し、地面を転がして数十ｍ先のゴール枠内に入れる競技であり、高齢者が競技を楽しみながら日頃の運動不足・コミュニケーション不足を補うことができる利点があり、広く普及することが望まれている。
ところで、グランドゴルフはスタートからゴールまでの距離が比較的短く、ボールを遠くへ飛ばすことよりも、打撃毎の飛距離を上手にコントロールすることの方が好成績に繋がる。高齢者は練習により飛距離を正確にコントロール出来るようになるまでに時間が掛かるため、成績がなかなか上がらないつまらなさから、諦めて途中で取り組みを辞めてしまう人が多いという問題があった。
【発明の概要】
【発明が解決しようとする課題】
【０００３】
本発明は上記した従来技術の問題に鑑みなされたもので、飛距離のコントロールの練習を可能とするグランドゴルフ練習具を提供することを、その目的とする。
【課題を解決するための手段】
【０００４】
請求項１記載の発明では、
地面または床の上に載置されるか、着脱自在に固定される基台と、
基台に支持されるとともに、基台の脇でグランドゴルフの打撃練習をする際のバックスイング方向に沿って延設された支持部材と、
支持部材の延設方向に位置変更可能に装備されて、バックスイング中のグランドゴルフクラブに当接し、バックスイングの振りの範囲を制限する制限部材と、
を備えたことを特徴としている。
請求項２記載の発明では、
支持部材は、基台に立設した基部支柱に装着したこと、
を特徴としている。
請求項３記載の発明では、
支持部材は、略水平に後方へ延設されていること、
を特徴としている。
請求項４記載の発明では、
支持部材は、後端に掛けて上方へ湾曲するように延設されていること、
を特徴としている。
請求項５記載の発明では、
制限部材は、支持部材の延設方向の複数個所に位置を変えて着脱自在に装着可能に形成されていること、
を特徴としている。
請求項６記載の発明では、
基台の底部または底部近くに着脱自在な姿勢安定部材を備えたこと、
を特徴としている。
請求項７記載の発明では、
姿勢安定部材は内部に制限手段を収納可能な筒状に形成されており、
基台に、不使用時の筒状の姿勢安定部材を着脱自在に固定する固定部材を設けたこと、
を特徴としている。
請求項８記載の発明では、
姿勢安定部材は、基台から側方へ延設した状態で装備可能であり、延設された先端によりグランドゴルフボールの設置位置を指示するようにしたこと、
を特徴としている。
請求項９記載の発明では、
基台に、ペグを上方から下方へ挿脱自在に貫通するペグ孔を形成したこと、
を特徴としている。
請求項１０記載の発明では、
支持部材に、バックスイングの振りの大きさが判る目印または目盛を付設したこと、
を特徴としている。
請求項１１記載の発明では、
基台に、ボールの飛距離を計るメジャーを備えたこと、
を特徴としている。
【発明の効果】
【０００５】
本発明によれば、グランドゴルフ練習具の脇にグランドゴルフボールを置いてグランドゴルフの打撃練習をすると、バックスイング中にグランドゴルフクラブが制限部材に当接してバックスイングの振りの範囲が制限されるので、バックスイングの振りの大きさが一定した打撃練習を簡単に実践することができる。従って、バックスイングの振りの大きさと飛距離の関係の感覚を掴み易くなるとともに、飛距離のコントロールの練習が可能となる。
【図面の簡単な説明】
【０００６】
【図１】図１は本発明の一実施例に係るグランドゴルフ練習具の側面図である（実施例１）。
【図２】図２は図１の平面図である。
【図３】図３は図１の底面図である。
【図４】図４は筒状の姿勢安定部材と中に収容された板状の姿勢安定部材及び制限部材の説明図である。
【図５】図５（１）はグランドゴルフ練習具の固定に用いるペグの平面図、（２）は側面図である。
【図６】図６（１）はスタートマットの平面図、（２）は側面図である。
【図７】図１のグランドゴルフ練習具の使用方法の説明図である。
【図８】図１のグランドゴルフ練習具の使用方法の説明図である。
【図９】図１のグランドゴルフ練習具の他の使用方法の説明図である。
【図１０】図１の変形例に係るグランドゴルフ練習具を示す側面図である。
【図１１】図１の他の変形例に係るグランドゴルフ練習具を示す側面図である。
【発明を実施するための最良の形態】
【０００７】
以下、本発明の最良の形態を実施例に基づき説明する。
【実施例１】
【０００８】
図１乃至図６を参照して本発明の一実施例を説明する。図１は本発明に係るグランドゴルフ練習具の側面図、図２は図１の平面図、図３は図１の底面図、図４は筒状の姿勢安定部材と中に収容された板状の姿勢安定部材及び制限部材の説明図、図５（１）はグランドゴルフ練習具の固定に用いるペグの平面図、（２）は側面図、図６（１）はスタートマットの平面図、（２）は側面図である。
これらの図において、１はグランドゴルフ練習具であり、グランドゴルフの打撃練習時のバックスイングの振りの範囲を制限することで、バックスイングの振りの大きさが一定した打撃練習を簡単に実践できるようにしたものである。グランドゴルフ練習具１の内、２は木製でスイング方向である前後方向（図１の左右方向）に延びた略角柱状の基台、３は基台２の上面前端部に装着された金属製の基部支柱であり、基台２の上面にねじ留めされた方形板状の基部４の中央から上方へ延設された筒状部５が一体化されてなる。６は筒状部５の上端部にＬ字接続用ジョイント金具７を介して装着された筒状の支持部材であり、この実施例では筒状部５からバックスイング方向に沿った後方（図１の右方）へ基台２の後端過ぎまで延設されている。Ｌ字接続用ジョイント金具７は、支持部材６の角度を水平向き、水平より下向き、水平より上向きに調節可能になっており（図１の矢印Ａ参照）、図１は基台２と平行な水平向きに固定した状態を示す。
【０００９】
支持部材６には、筒状部５からの距離が１０ｃｍから４０ｃｍまで、５ｃｍ間隔で支持部材６の軸に直交する水平方向に左右対向して配設した一対の取り付け孔９ａと９ｂ、１０ａと１０ｂ、・・、１５ａと１５ｂが穿設されている。これらの取り付け孔９ａと９ｂ、・・、１５ａと１５ｂは、後述する制限部材を位置を変えて着脱自在に取り付け可能とするものであり、また、筒状部５からの距離を示す目印、目盛としての機能も果たす。支持部材６の上面には、９ａと９ｂに対応する箇所に「１０」、１１ａと１１ｂに対応する箇所に「２０」、１３ａと１３ｂに対応する箇所に「３０」、１５ａと１５ｂに対応する箇所に「４０」の距離文字が表示されており、１１ａと１１ｂに対応する箇所に「ｃｍ」の単位文字が表示されている（図１、図７では表示を省略している）。
【００１０】
基台２の上面で基部４の後方かつ支持部材６の直下にＬ字状のメジャー取り付け板２０がねじ止めにより立設されており、このメジャー取り付け板２０の側面に巻き尺（メジャー）２１が装着されている。巻き尺２１は外ケース２２の中に１０ｍ程度の長さの帯２３が巻回されたリール２４が回転自在に装備されている。帯２３の先端部は外ケース２２の前側下部に形成された出入口２５から前方に出て、メジャー取り付け板２０の内、出入口２５の前側かつ基台２寄りに左右方向に水平に植設された棒状の位置決めガイド２６の下側を通したあと、基台２の上面に装着された方形筒形のメジャー通しガイド２７の中に挿通されている。そして、メジャー通しガイド２７から外に出ている帯２３の先端に設けたつまみ金具２８を持って前方に引っ張ることにより、リール２４を回転させて帯２３を巻き出し、直線的に前方へ引き出すことができ、反対に、リール２４の外側に固着されたハンドル２９を持って巻き取り方向に回転することで、外に引き出された帯２３をリール２４に巻き取ることができるようになっている。巻き取りは、つまみ金具２８がメジャー通しガイド２７の前端近くに来るまで行うことができる（図１参照）。
【００１１】
基台２の上面の後部には、有底で筒状の姿勢安定部材３０を着脱自在に装着可能とする固定部材としてのホルダ３１がネジ止めされている。図４に示す如く筒状の姿勢安定部材３０の中には開口３２から板状の姿勢安定部材３３と棒状の制限部材３４を挿脱自在に収納可能になっている。基台２の下面後端部には筒状の姿勢安定部材３０の軸方向の中央を着脱自在に取り付け可能な片サドル３５が装着されている。片サドル３５に筒状の姿勢安定部材３０を取り付けたとき、筒状の姿勢安定部材３０の下端が基台２の下面と同一水平面内に入るようになっている（図７参照）。
また基台２の下面の前部には、左右方向に刻設された溝３６と、溝３６を前後方向に跨ぐように基台２の下面にネジ止めにより装着された左右一対の板状金具３７から成る通し部３８が備えられており、左右方向に板状の姿勢案内部材３３を挿脱自在に挿入可能になっている。通し部３８に板状の姿勢案内部材３３を挿入したとき、板状の姿勢安定部材３３の下面が基台２の下面と面一となるようになっている。板状の姿勢安定部材３３には、長手方向の端から２．５ｃｍ間隔で目印用孔３９ａ、３９ｂ、・・３９ｌが刻設されている。
【００１２】
制限部材３４は、長尺で袋状の頭部４０と、頭部４０から直線状に延設された雄螺子軸部４１から成るボルト４２、雄螺子軸部４１の内、先端部を除く部分の外側に嵌装されて雄螺子軸部４１を二重に覆う柔軟性の有る内側チューブ４３及び外側チューブ４４から成るパイプ状の覆い部４５、雄螺子軸部４１内、頭部４０と覆い部４５の間に介装されて覆い部４５の一端側が当接する座金４６、雄螺子軸部４１の内、先端側の露出部分に螺合される蝶ナット４７、雄螺子軸部４１の内の覆い部４５と蝶ナット４７の間に介装される座金４８、４９とから成る。
雄螺子軸部４１の先端露出部分に座金４８を嵌め、支持部材２６の任意の所望位置の左右一対の通し孔に右側から左側へ挿通して左側に出た部分に座金４９を嵌め、蝶ナット４７を着脱自在に螺合することにより、支持部材２６から垂直かつ水平に基台２の右方向（図２の下方向）へ制限部材３４を突設することができる。
【００１３】
基台２の後端部の左右方向の中央にはパイプ５０が埋設されており、ペグ孔としてのパイプ孔５１の中に、図５（１）、（２）に示すペグ５２を挿入して先端部を地面に挿し込むことで、基台２の姿勢を安定させるとともに、基台２をペグ５２を軸に水平面内で回動自在に固定できるようになっている（図９参照）。
【００１４】
図６は、グランドゴルフのスタートショット時に使用するスタートマット６０であり、方形平板状のマット部６１の前部中央にグランドゴルフボール（図７の符号６３参照を載せる筒状のボール載せ部６２が立設されている。
【００１５】
次に、図７、図８を参照して上記した実施例の作用を説明する。
なお、予め、支持部材６は基台２の上で水平方向に固定されているものとする（図１参照）。
例えば、地面６４の上でグランドゴルフ練習具１を用いてスタートショットの練習をしたい場合、ホルダ３１から筒状の姿勢安定部材３０を外し、中から板状の姿勢安定部材３３と制限部材３４を取り出す。板状の姿勢安定部材３３を基台２の下面前部の通し部３８に左右方向へ水平に通し、空の筒状の姿勢安定部材３０の中央部分を基台２の後端の片サドル３５に水平に嵌着する。そして、練習を行なう地面６４の上に基台２の底面を載せ、基台２の前端を打撃方向に向ける。板状の姿勢安定部材３３は基台２から右方向（グランドゴルフボール方向）へ１０ｃｍ程度出るようにする。
【００１６】
続いて、グランドゴルフ練習具１の右脇にスタートマット６０を打撃方向を向けて設置する。この際、板状の姿勢安定部材３３の右端にスタートマット６０の左端縁が来るようにし、かつ、板状の姿勢安定部材３３の延長線上にボール載せ部６２が来るようにする。
【００１７】
次に、巻き尺２１の先端のつまみ金具２８を持って、打撃方向へユーザが練習を希望する距離分、例えば３ｍの長さだけ、帯２３を引き出し、帯２３の先端の近くの地面６４にグランドゴルフゴール（図示せず）を置く。帯２３はそのまま地面６４の上に配置しておく。
最後に、制限部材３４を支持部材２６の内、試行する所望の位置の左右一対の通し孔に取り付ける。例えば通し孔１３ａ、１３ｂに取り付けたい場合、制限部材３４の雄螺子軸部４１の先端露出部分に座金４８を嵌め、支持部材２６の通し孔１３ｂに挿通して反対側の通し孔１３ａから出た部分に座金４９を嵌め、蝶ナット４７を着脱自在に螺合することにより、支持部材２６の内、支柱５から後方へ３０ｃｍの位置から直角に基台２の右方向（図８の下方向）へ水平に制限部材３４を突設することができる。
【００１８】
準備が整ったところで、スタートマット６０のボール載せ部６２にグランドゴルフボール６３を載せる。そして、脇に立ち、グランドゴルフクラブ７０のシャフト７１を握って３ｍ先のゴールを目標に打撃を行う。具体的には、ヘッド７２を一旦、グランドゴルフボール６３の後側に接近させ（図７、図８の二点鎖線Ｂ参照）、しかるのちバックスイングをする（図７、図８の矢印Ｃ参照）。バックスイングは後方へ振ったシャフト７１が制限部材３５に当接するまで行ない、次にダウンスイングをしてボール５３を打撃し、続けてフォロースイングをする（図７、図８の矢印Ｄ参照）。
【００１９】
巻き尺２１の目盛から、ボールの飛距離が所望の３ｍ近くであれば、制限部材３４の取り付け位置を変えずに、繰り返し練習する。これにより、バックスンイグの振りの大きさが一定した打撃を身に着けることができ、飛距離のコントロールの練習が可能となる。
若し、ボールの飛距離が目標の３ｍより短ければ、打撃力が弱いので支持部材６に対する制限部材３４の取り付け位置を後ろにずらして、再度、試行し、３ｍ近くになった位置で制限部材３４を固定して、打撃練習すれば良く、反対に、３ｍより長ければ、打撃力が強いので取付位置を前にずらして、再度、試行し、３ｍ近くになった位置で固定して、打撃練習すれば良い。
３ｍ以外の飛距離の練習も同様にして行なうことができる。
また、Ｌ字接続用ジョイント金具７による支持部材６の固定角度を変えることで、支持部材６の角度を基台２と平行でない角度に設定して打撃練習することもできる。
【００２０】
なお、スタートマット５０を使わない場合は、板状の姿勢安定部材３３の先端近くの地面６４に直接ボールを置いて打撃練習すれば良い。
また、筒状の姿勢安定部材３０と板状の姿勢安定部材３３は、いずれか一方だけ使用するようにしても良く、或いは、筒状の姿勢安定部材３０を使用する代わりに、図５のペグ５２を基台２の後端部のパイプ孔５１に挿通して先端部を地面６４に埋め込むようにしても良い（図９の矢印Ｅ参照）。後者の場合、ペグ５２を軸にして基台２を水平面内で回動することで、簡単にグランドゴルフ補助具１の向きを変えることができる。
【００２１】
練習後は、ハンドル２６を回してつまみ金具８がメジャー通しガイド２７の前端近くに来るまで帯２３を巻き取ったあと、支持部材６から制限部材３４を取り外すとともに、片サドル３５から筒状の姿勢安定部材３０、通し部３８から板状の姿勢安定部材３３を外し、板状の姿勢安定部材３３を制限部材３４とともに筒状の姿勢安定部材３０の中に挿入し、ホルダ３１に装着する。
【００２２】
この実施例によれば、基台２の脇にグランドゴルフボール６３を置いてグランドゴルフの打撃練習をすることにより、バックスイング中にグランドゴルフクラブ７０が支持部材６に支持された制限部材３４に当接してバックスイングの振りの範囲が制限されるので、バックスイングの振りの大きさが一定した打撃練習を簡単に実践することができ、バックスイングの振りの大きさと飛距離の関係の感覚を掴み易くなるとともに、飛距離のコントロールを練習可能となる。
制限部材３４は、柔軟性を有する覆い部４５に覆われているので、グランドゴルフクラブ７０のシャフト７１が当たってもシャフト７１に傷が付く恐れがない。
また、基台２に巻き尺２１が備えられているので、正確な飛距離を容易に把握でき、巻尺２１から引き出された帯２３がガイドピン２６とメジャー通しガイド２７により目標方向へ直線的に案内されるので、帯２３がグランドゴルフボール６３の側に曲がって練習の邪魔をするのが防止される。
また支持部材６に対する制限部材３４の取り付け位置を変えることにより、バックスイングの大きさを種々に変えた打撃練習が行える。
また、支持部材６の角度調節が可能なので、グランドゴルフクラブ７０のサイズ・形状や好み等に合わせ、最適な角度に設定して練習することができる。
また、使用時、基台２の下部に取り付けた筒状の姿勢安定部材３０、板状の姿勢安定部材３３を取り付けることでグランドゴルフ練習具１の転倒を防止でき、不使用時、板状の姿勢安定部材３３を制限部材３４とともに筒状の姿勢安定部材３０の中に挿入し、ホルダ３１に装着することにより、グランドゴルフ練習具１をコンパクトにして運搬したり、収納したりできる。
【００２３】
なお、上記した実施例では、基台の後端中央に一つの片サドルを設けるようにしたが基台の後端に左右２つ設けるようにしても良い。
また、基台に設けたペグを挿入するためのパイプを省略したり、筒状の姿勢安定部材を装着するための片サドルを省略したりしても良い。
また、基台に巻き尺を装備したが、省略して良い。
【００２４】
また、上記した実施例では、基台に立設された基部支柱からバックスイング方向に沿って延設された支持部材を直線状とした例を挙げて説明したが、本発明は何らこれに限定されず、バックスイングが大きくなるとゴルフクラブヘッドの軌跡が円弧を描くことを考慮して、支持部材を少し長くする場合などには、例えば図１０のグランドゴルフ練習具１Ａに示す如く、後端に掛けて少し上方へ円弧状または楕円弧状に湾曲させた支持部材６Ａとしても良い。図１０の例では、筒状部５からの支持部材６Ａの軸に沿った距離が１０ｃｍ、１５ｃｍ、２０ｃｍ、３０ｃｍ、４０ｃｍ、５０ｃｍの箇所の支持部材６Ａに左右一対の取り付け孔９ａと９ｂ、１０ａと１０ｂ、１１ａと１１ｂ、１３ａと１３ｂ、１５ａと１５ｂ、１６ａと１６ｂが穿設されており、また筒状部５から支持部材６Ａの軸芯に沿った距離を示す数字が支持部材６Ａの側面寄りに表示されている。
【００２５】
また、大きなバックスイングに対応するため支持部材をかなり長くする場合には、例えば図１１のグランドゴルフ練習具１Ｂに示す如く、後端に掛けて上方へ大きく円弧状または楕円弧状に湾曲させた支持部材６Ｂとして、バックスイングが大きくなったときでも、グランドゴルフクラブのシャフトが制限部材３４に確実に当接するようにしても良い。
【００２６】
図１１の例では、筒状部５のの上方約８０ｃｍの点から見た時計の短針の６時方向から３時方向まで１５分刻みの方向に左右一対の取り付け孔８０ａと８０ｂ、８１ａと８１ｂ、・・、９２ａと９２ｂが穿設されており、また６時方向（垂直方向）、５時方向、４時方向、３時方向（水平方向）を示す６Ｈ、５Ｈ、４Ｈ、３Ｈの文字や、５時半方向を示す５．５などの数字が支持部材６Ｂの側面寄りに表示されている。時計の短針の時刻方向の数字を表示することで、利用者は直感的にバックスイングの大きさを把握し易くなっている。
なお、図１１の例では、大きな支持部材６Ｂを安定して支えるために、基台２Ｂ、筒状姿勢安定部材３０Ｂが長く形成されている。また、基台２Ｂの後端部の上面に金属製の基部支柱部材９３が装着されており、支持部材６Ｂの途中箇所に装着されたＬ字接続用ジョイント金具９４と基部支柱部材９３に装着されたＬ字接続用ジョイント金具９５に補強パイプ９６の両端部が接続されている。
【産業上の利用可能性】
【００２７】
本発明は、バックスイングの振り大きさを安定させて飛距離のコントロールを上達させたい場合に好適なグランドゴルフ練習具として適用できる。
【符号の説明】
【００２８】
１  グランドゴルフ練習具
２  基台
６  支持部材
３４  制限部材
【図１】
2020171616.tif 000003
【図２】
2020171616.tif 000004
【図３】
2020171616.tif 000005
【図４】
2020171616.tif 000006
【図５】
2020171616.tif 000007
【図６】
2020171616.tif 000008
【図７】
2020171616.tif 000009
【図８】
2020171616.tif 000010
【図９】
2020171616.tif 000011
【図１０】
2020171616.tif 000012
【図１１】
2020171616.tif 000013